(57)【要約】【課題】予めプリント料金が支払われており、注文者がプリント料金を支払わないでプリント注文が可能である。【解決手段】プリント注文システムは、プリント注文可能な画像情報を送信し、プリント料金を予め支払う予約手段１０ａと、送信された画像情報を閲覧可能な状態で管理する管理手段２０ａと、保管された画像情報を閲覧して、プリント料金を支払わないで、閲覧した画像情報中からプリントの注文を行なうプリント注文手段４０ａとを有する。【選択図】図１
2006235680.tif 000002
【特許請求の範囲】
【請求項１】
プリント注文可能な画像情報を送信し、プリント料金を予め支払う予約手段と、
前記送信された画像情報を閲覧可能な状態で管理する管理手段と、
前記保管された画像情報を閲覧して、プリント料金を支払わないで、前記閲覧した画像情報中からプリントの注文を行なうプリント注文手段とを有することを特徴とするプリント注文システム。
【請求項２】
プリント注文可能なアルバムの画像情報のプリント料金を予め支払う予約手段と、
前記アルバムの画像情報を閲覧可能な状態で管理する管理手段と、
前記保管されたアルバムの画像情報を閲覧して、プリント料金を支払わないで、前記閲覧したアルバムの画像情報中からプリントの注文を行なうプリント注文手段とを有することを特徴とするプリント注文システム。
【請求項３】
前記予約手段は、プリント注文可能な画像情報と、画像情報のプリント入りの見本商品とを送信し、
前記管理手段は、前記見本商品と前記プリント注文可能な画像情報との組み合わせのプリント商品の注文を可能にすることを特徴とする請求項１または請求項２に記載のプリント注文システム。
【請求項４】
前記見本商品と前記プリント注文可能な画像情報との組み合わせが予め決まっていることを特徴とする請求項３に記載のプリント注文システム。
【請求項５】
前記見本商品と前記プリント注文可能な画像情報との組み合わせが選択可能であることを特徴とする請求項３に記載のプリント注文システム。    
【請求項６】
前記予約手段は、閲覧を許可する閲覧許可情報を予め前記管理手段へ送信することを特徴とする請求項１乃至請求項５のいずれか１項に記載のプリント注文システム。
【請求項７】
前記管理手段は、閲覧を許可する閲覧許可情報に基づき閲覧を可能にすることを特徴とする請求項１乃至請求項６のいずれか１項に記載のプリント注文システム。
【請求項８】
前記閲覧許可情報は、ＵＲＬ、ログインＩＤ、パスワードを含むことを特徴とする請求項１乃至請求項７のいずれか１項に記載のプリント注文システム。
【請求項９】
前記管理手段は、前記予め支払ったプリント料金を超えるプリント注文を許可しないことを特徴とする請求項１乃至請求項８のいずれか１項に記載のプリント注文システム。
【請求項１０】
前記管理手段は、前記予め支払ったプリント料金を超えるプリント注文を許可することを特徴とする請求項１乃至請求項８のいずれか１項に記載のプリント注文システム。
【請求項１１】
前記管理手段は、前記予め支払ったプリント料金を超える場合、追加プリント料金の支払いによりプリント注文を許可することを特徴とする請求項１０に記載のプリント注文システム。
【請求項１２】
前記管理手段は、予め注文者を登録し、登録した注文者からのみプリント注文を許可することを特徴とする請求項１乃至請求項１１のいずれか１項に記載のプリント注文システム。
【請求項１３】
前記管理手段は、前記登録した注文者に対して予め設定されたプリント料金の上限までプリント注文を許可することを特徴とする請求項１乃至請求項１２のいずれか１項に記載のプリント注文システム。
【請求項１４】
前記管理手段は、プリント注文順にプリント注文を許可することを特徴とする請求項１乃至請求項１２のいずれか１項に記載のプリント注文システム。
【請求項１５】
前記管理手段は、プリント料金の支払い状況を閲覧可能な状態で管理することを特徴とする請求項１乃至請求項８のいずれか１項に記載のプリント注文システム。
【発明の詳細な説明】
【技術分野】
【０００１】
この発明は、インターネットなどのネットワークを介してプリント料金を予め支払ってプリント予約を行なうことが可能なプリント注文システムに関する。
【背景技術】
【０００２】
近年、ユーザ（顧客）は、結婚後の挨拶や年賀の挨拶等を写真画像を入れたポストカードで行なうことが多くなってきている。また、写真画像入りの名刺なども多数見かける。この写真画像入りのポストカードや名刺等の作成注文を、インターネットなど介して行なうネットワークビジネスが提案されている（例えば特許文献１）。
【特許文献１】特開２００２−１４９７９３号公報（第１〜８頁、図１〜図１０）
【発明の開示】
【発明が解決しようとする課題】
【０００３】
ところで、七五三の写真等は、子供の写真を写真館で撮影してもらい、店頭で実際に発注する。その場合のプリント注文者は、子供の親であるが、例えば祖父母にもプリントを渡したいという要求がある。
【０００４】
また、結婚式等で撮影された画像をウェブ上で見られるようにし、結婚式の出席者には予めＵＲＬ等のウェブ上にアクセスできる情報を渡しておき、後日ウェブ上を見てもらい写真や商品を選んでプリントすることがある。
【０００５】
このような場合、例えば祖父母がプリント料金を支払ったり、あるいは結婚式の出席者がプリント料金を支払ったりするよりは、子供の親や結婚する当人がプリント料金を支払ってプレゼントする方が好ましい。
【０００６】
この発明は、このような課題に鑑みてなされたのものであって、予めプリント料金が支払われており、注文者はプリント料金を支払わないでプリント注文が可能なプリント注文システムを提供することを目的としている。
【課題を解決するための手段】
【０００７】
前記課題を解決し、かつ目的を達成するために、この発明は、以下のように構成した。
【０００８】
請求項１に記載の発明は、『プリント注文可能な画像情報を送信し、プリント料金を予め支払う予約手段と、
前記送信された画像情報を閲覧可能な状態で管理する管理手段と、
前記保管された画像情報を閲覧して、プリント料金を支払わないで、前記閲覧した画像情報中からプリントの注文を行なうプリント注文手段とを有することを特徴とするプリント注文システム』である。
【０００９】
請求項２に記載の発明は、『プリント注文可能なアルバムの画像情報のプリント料金を予め支払う予約手段と、
前記アルバムの画像情報を閲覧可能な状態で管理する管理手段と、
前記保管されたアルバムの画像情報を閲覧して、プリント料金を支払わないで、前記閲覧したアルバムの画像情報中からプリントの注文を行なうプリント注文手段とを有することを特徴とするプリント注文システム』である。
【００１０】
請求項３に記載の発明は、『前記予約手段は、プリント注文可能な画像情報と、画像情報のプリント入りの見本商品とを送信し、
前記管理手段は、前記見本商品と前記プリント注文可能な画像情報との組み合わせのプリント商品の注文を可能にすることを特徴とする請求項１または請求項２に記載のプリント注文システム』である。
【００１１】
請求項４に記載の発明は、『前記見本商品と前記プリント注文可能な画像情報との組み合わせが予め決まっていることを特徴とする請求項３に記載のプリント注文システム』である。
【００１２】
請求項５に記載の発明は、『前記見本商品と前記プリント注文可能な画像情報との組み合わせが選択可能であることを特徴とする請求項３に記載のプリント注文システム』である。
【００１３】
請求項６に記載の発明は、『前記予約手段は、閲覧を許可する閲覧許可情報を予め前記管理手段へ送信することを特徴とする請求項１乃至請求項５のいずれか１項に記載のプリント注文システム』である。
【００１４】
請求項７に記載の発明は、『前記管理手段は、閲覧を許可する閲覧許可情報に基づき閲覧を可能にすることを特徴とする請求項１乃至請求項６のいずれか１項に記載のプリント注文システム』である。
【００１５】
請求項８に記載の発明は、『前記閲覧許可情報は、ＵＲＬ、ログインＩＤ、パスワードを含むことを特徴とする請求項１乃至請求項７のいずれか１項に記載のプリント注文システム』である。
【００１６】
請求項９に記載の発明は、『前記管理手段は、前記予め支払ったプリント料金を超えるプリント注文を許可しないことを特徴とする請求項１乃至請求項８のいずれか１項に記載のプリント注文システム』である。
【００１７】
請求項１０に記載の発明は、『前記管理手段は、前記予め支払ったプリント料金を超えるプリント注文を許可することを特徴とする請求項１乃至請求項８のいずれか１項に記載のプリント注文システム』である。
【００１８】
請求項１１に記載の発明は、『前記管理手段は、前記予め支払ったプリント料金を超える場合、追加プリント料金の支払いによりプリント注文を許可することを特徴とする請求項１０に記載のプリント注文システム』である。
【００１９】
請求項１２に記載の発明は、『前記管理手段は、予め注文者を登録し、登録した注文者からのみプリント注文を許可することを特徴とする請求項１乃至請求項１１のいずれか１項に記載のプリント注文システム』である。
【００２０】
請求項１３に記載の発明は、『前記管理手段は、前記登録した注文者に対して予め設定されたプリント料金の上限までプリント注文を許可することを特徴とする請求項１乃至請求項１２のいずれか１項に記載のプリント注文システム』である。
【００２１】
請求項１４に記載の発明は、『前記管理手段は、プリント注文順にプリント注文を許可することを特徴とする請求項１乃至請求項１２のいずれか１項に記載のプリント注文システム』である。
【００２２】
請求項１５に記載の発明は、『前記管理手段は、プリント料金の支払い状況を閲覧可能な状態で管理することを特徴とする請求項１乃至請求項８のいずれか１項に記載のプリント注文システム』である。
【発明の効果】
【００２３】
前記構成により、この発明は、以下のような効果を有する。
【００２４】
請求項１に記載の発明によれば、プリント注文可能な画像情報を送信し、プリント料金を予め支払って予約を行なうことで、注文者がプリント料金を支払わないで、予約された画像情報中からプリントの注文を行なうことができる。
【００２５】
請求項２に記載の発明によれば、プリント注文可能なアルバムの画像情報のプリント料金を予め支払って予約を行なうことで、注文者がプリント料金を支払わないで、予約されたアルバムの画像情報中からプリントの注文を行なうことができる。
【００２６】
請求項３に記載の発明によれば、見本商品とプリント注文可能な画像情報との組み合わせのプリント商品の注文を行なうことができる。
【００２７】
請求項４に記載の発明によれば、見本商品とプリント注文可能な画像情報との組み合わせが予め決まっており、注文者が簡単にプリント商品の注文を行なうことができる。
【００２８】
請求項５に記載の発明によれば、見本商品とプリント注文可能な画像情報との組み合わせを、注文者が自由に選択してプリント商品の注文を行なうことができる。
【００２９】
請求項６に記載の発明によれば、予約により閲覧を許可する閲覧許可情報を予め管理手段へ送信し、管理手段でプリント注文に関する管理を行なうことができる。
【００３０】
請求項７に記載の発明によれば、閲覧許可情報に基づき閲覧を可能にし、特定の注文者からのプリント注文を受け付けることができる。
【００３１】
請求項８に記載の発明によれば、閲覧許可情報は、ＵＲＬ、ログインＩＤ、パスワードを含み、特定の注文者からのプリント注文を受け付けることができる。  請求項９に記載の発明によれば、予め支払ったプリント料金を超えるプリント注文を許可しないことで、注文者のプリント注文を制限する。
【００３２】
請求項１０に記載の発明によれば、予め支払ったプリント料金を超えるプリント注文を許可し、注文者のプリント注文を優先する。
【００３３】
請求項１１に記載の発明によれば、予め支払ったプリント料金を超える場合、追加プリント料金の支払いによりプリント注文を許可する。
【００３４】
請求項１２に記載の発明によれば、予め注文者を登録し、登録した注文者からのみプリント注文を許可する。
【００３５】
請求項１３に記載の発明によれば、登録した注文者に対して予め設定されたプリント料金の上限までプリント注文を許可し、一人の注文者が余りにも多くのプリント注文を行なうことを禁止する。
【００３６】
請求項１４に記載の発明によれば、プリント注文順にプリント注文を許可し、注文者の要望に沿うことができる。
【００３７】
請求項１５に記載の発明によれば、プリント料金の支払い状況を閲覧可能な状態で管理することで、プリント料金の支払い状況を確認することができる。
【発明を実施するための最良の形態】
【００３８】
以下、この発明のプリント注文システムの実施の形態について説明するが、この発明は、この実施の形態に限定されない。また、この発明の実施の形態は、発明の最も好ましい形態を示すものであり、この発明の用語はこれに限定されない。
［プリント注文システムの概略構成］
図１はプリント注文システムの概略構成図である。この実施の形態のプリント注文システムは、写真館または取次店１の端末１０、センター２のサーバ２０、ラボ３の端末３０、注文者４の端末４０がネットワーク５でそれぞれ接続された構成である。ネットワーク５は、インターネットで構成されるが、他の通信回線でも良い。
【００３９】
端末１０のコンピュータは、予約手段１０ａを有する。この予約手段１０ａは、プリント注文可能な画像情報を送信し、プリント料金を予め支払う。例えば、写真館のスタジオでは、七・五・三の撮影を行ない、複数の撮影ポーズから画像情報を選択し、プリント注文可能な画像情報を送信する。また、結婚式、披露宴等の複数の撮影ポーズ、あるいは被写体の異なるプリント注文可能な画像情報を送信してアルバムを作成する。
【００４０】
また、予約手段１０ａは、プリント注文可能なアルバムの画像情報のプリント料金を予め支払う。例えば、取次店では、既に画像情報のアルバムが作成されている場合には、アルバムの画像情報のプリント料金を予め支払う。
【００４１】
センター２のサーバ２０は、管理手段２０ａを有する。この管理手段２０ａは、送信された画像情報を閲覧可能な状態で管理する。
【００４２】
ラボ３に設置される端末３０のコンピュータは、注文情報でプリント指定されたデータをサーバ２０から受け取り、この注文情報に基づきプリントする。
【００４３】
注文者４が所有する端末４０のコンピュータは、プリント注文手段４０ａを有する。このプリント注文手段４０ａは、保管された画像情報を閲覧して、プリント料金を支払わないで、閲覧した画像情報中からプリントの注文を行なう。
【００４４】
このように、プリント注文可能な画像情報を送信し、プリント料金を予め支払って予約を行なうことで、注文者がプリント料金を支払わないで、予約された画像情報中からプリントの注文を行なうことができる。
【００４５】
また、プリント注文可能なアルバムの画像情報のプリント料金を予め支払って予約を行なうことで、注文者がプリント料金を支払わないで、予約されたアルバムの画像情報中からプリントの注文を行なうことができる。
［予約］
次に、予約手段１０ａによる予約を、図２及び図３に基づいて説明する。図２は予約入力のアルバム予約画面を示す図であり、図３は予約終了のアルバム予約画面を示す図である。図２の予約入力のアルバム予約画面６０において、撮影日時６０ａ、アルバム名６０ｂ、予約者名６０ｃを入力し、撮影シーンのプリント注文可能な画像情報を入力する。プリント注文可能な画像情報は、デジタルカメラで撮像したデジタル画像でも、写真プリントから入力したデジタル画像でもどちらでもよく、特に限定しない。
【００４６】
プリント料金納付６０ｆ、アルバム閲覧用個人情報入力６０ｇを行ない、予約ボタン６０ｄをクリックすると予約が終了する。キャンセルボタン６０ｅをクリックするとメニュー画面へ戻る。
【００４７】
この予約が終了すると、図３の予約終了のアルバム予約画面６１において、撮影日時６１ａ、アルバム名６１ｂ、予約者名６１ｃが表示される。さらに、閲覧許可情報であるログインＩＤ６１ｄ、パスワード６１ｅを登録し、センター２のサーバ２０へ送信する。プリントボタン６１ｆをクリックすると予約内容が印刷される。ＯＫボタン６１ｇをクリックするとメニュー画面へ戻る。
【００４８】
閲覧許可情報であるログインＩＤ６１ｄ、パスワード６１ｅは、例えば、七・五・三の撮影等の場合、祖父母に知らせて無料で発注ができるようにする。また、結婚式、披露宴の撮影等の場合は、出席者等に知らせて無料で発注ができるようにする。この閲覧許可情報は、ログインＩＤ６１ｄ、パスワード６１ｅの他に、ＵＲＬを含み、この閲覧許可情報を例えばプリントアウトし、注文者に連絡する。また、注文者に閲覧許可情報をｅ−ｍａｉｌで連絡する。
【００４９】
アルバム閲覧用個人情報入力６０ｇは、図４に示すアルバム閲覧用個人情報入力画面６４において、注文者の氏名、住所、電話番号、ｅ−ｍａｉｌを入力して登録する。
【００５０】
また、図５に示すようなプリント注文可能な画像情報６２と、図６に示すような画像情報のプリント入りの見本商品６３とを送信すると、見本商品６３とプリント注文可能な画像情報６２との組み合わせのプリント商品の注文を行なうことができる。
【００５１】
この見本商品６３とプリント注文可能な画像情報６２との組み合わせが予め決まっていると、注文者が簡単にプリント商品の注文を行なうことができる。
【００５２】
また、見本商品６３とプリント注文可能な画像情報６２との組み合わせが選択可能であると、注文者が自由に選択してプリント商品の注文を行なうことができる。
【００５３】
予約手段１０ａは、プリント料金を予め支払い、注文者４はプリント料金を支払わないで、予約された画像情報中からプリントの注文を行なうことができ、このプリント注文の基本は、プリペイド方式である。即ち、図７に示すように、例えば写真館または取次店からサービスを事前に購入する（プリペイド）。サービスの内容は、予め提示されており、その中から選択する。
【００５４】
プリペイドによるサービスのパターンを、図７（Ａ）〜図７（Ｅ）に示す。図７（Ａ）は、予約者が購入したＸ円のプリペイド金額は、写真館店頭アプリケーションから一括注文と同じ金額である。図７（Ｂ）は、予約者が購入したＸ円のプリペイド金額は、写真館店頭アプリケーションからの一括注文とウェブからの顧客、あるいは写真館担当者の注文とを加算した金額と同じである。図７（Ｃ）は、予約者が購入したＸ円のプリペイド金額が、写真館店頭アプリケーションからの一括注文とウェブからの注文者、あるいは写真館担当者の注文とを加算した金額より少ないため、後日写真館で清算、あるいはクレジット決済、商品代引が行う。図７（Ｄ）は、予約者が購入したＸ円のプリペイド金額より、ウェブからの注文者、あるいは写真館担当者が注文した金額が少なく、注文余り分が生じ後日注文可能である。図７（Ｅ）は、予約者が購入したＸ円のプリペイド金額より、ウェブからの注文者、あるいは写真館担当者が注文した金額が多く、超過分を後日写真館で清算、あるいはクレジット決済、商品代引を行なう。
［管理］
管理手段２０ａは、注文者４の端末４０からの閲覧を許可する閲覧許可情報に基づき閲覧を可能にし、特定の注文者からのプリント注文を受け付けることができる。プリント注文は、例えばプリント商品の限定、選択写真枚数等も限定することができる。
【００５５】
管理手段２０ａは、予め支払ったプリント料金を超えるプリント注文を許可しないことで、予約者が予め支払ったプリント料金を越えて、注文者がプリント注文することを制限する。
【００５６】
また、管理手段２０ａは、予め支払ったプリント料金を超えるプリント注文を許可する。このように予め支払ったプリント料金を超える場合、追加プリント料金の支払いによりプリント注文を許可し、注文者のプリント注文を優先する。
【００５７】
また、図４に示すように、予め注文者を登録し、登録した注文者からのみプリント注文を許可し、登録した注文者からのみプリント注文を許可する。
【００５８】
この場合、登録した注文者に対して予め設定されたプリント料金の上限までプリント注文を許可し、一人の注文者が余りにも多くのプリント注文を行なうことを禁止している。また、プリント注文順にプリント注文を許可し、注文者の要望に沿うことができる。このプリント料金の支払い状況を閲覧可能な状態で管理し、プリント料金の支払い状況を確認することができる。例えば、写真館の店頭では予約者は、どの程度予め支払ったプリント料金が使われ残っているかを知ることができる。このプリント料金の支払い状況は、ウェブ上で確認できてもよいし、センター２のサーバ２０から店頭システムの端末１０のコンピュータに情報が渡され、店頭システム上で確認できてもよいし、注文者４の端末４０に情報が渡され、注文者４が確認できてもよい。
［注文］
プリント注文手段４０は、図８乃至図１３に示すように、保管された画像情報を閲覧して、プリント料金を支払わないで、閲覧した画像情報中からプリントの注文を行なう。
【００５９】
まず、図８に示すオンラインラボのホームページ画面７０を開くことができる。このホームページ画面７０には、会員ＩＤ入力欄７１、パスワード入力欄７２、ログインボタン７３、会員登録ボタン７４が設けられている。
【００６０】
ホームページ管理者が会員である場合には、会員ＩＤ入力とパスワード入力し、ログインすると、図９に示すプリント注文画面７５を開くことができる。
【００６１】
プリント注文画面７５には、プリント注文可能な画像情報６２と見本商品６３が表示される。このプリント注文画面７５には、プリント指定ボタン７５ａ、プリント選択ボタン７５ｂ、プリント料金閲覧ボタン７５ｃ、プリント料金追加ボタン７５ｄ、『次へ』ボタン７５ｅ、『戻る』ボタン７５ｆが設けられている。  プリント指定ボタン７５ａをクリックすると、プリント注文可能な画像情報６２の一覧が表示される。この一覧の画像情報６２の内から一つ希望する画像情報６２をクリックすることでプリントする画像が指定される。
【００６２】
プリント選択ボタン７５ｂをクリックすると、プリント注文可能な画像情報６２の一覧が表示され、また見本商品６３の一覧が表示される。この一覧の画像情報６２の内から一つ希望する画像情報６２をクリックし、さらに見本商品６３の一覧の内から一つ希望する見本商品６３をクリックすることで、注文者がプリント注文可能な画像情報６２との組み合わせのプリント商品の注文が行なわれる。  プリント料金閲覧ボタン７５ｃをクリックすると、プリント料金の支払い状況が閲覧でき、プリント料金の支払い状況を確認することができる。
【００６３】
予め支払ったプリント料金に残高がある場合には、『次へ』ボタン７５ｅをクリックし、残高不足の場合は、プリント料金追加ボタン７５ｄをクリックし、『次へ』ボタン７５ｅをクリックする。
【００６４】
予め支払ったプリント料金に残高がある場合に、『次へ』ボタン７５ｅをクリックすると、図１０の受取方法選択画面８０が開き、受取方法８０ａを選択する。受取方法８０ａには、店頭と配送がある。
【００６５】
予め支払ったプリント料金に残高がない場合に、プリント料金追加ボタン７５ｄをクリックし、『次へ』ボタン７５ｅをクリックすると、図１１の受取・支払い方法選択画面８１が開き、受取方法８１ａ、支払い方法８１ｂを選択する。受取方法８１ａには、店頭と配送があり、支払い方法８１ｂには、店舗支払いとクレジットカードがある。
【００６６】
追加料金を店頭で支払う場合は、予め超過料金情報が店頭のシステムに通知されてもよい。ラボ３の生産場所からの伝票にすでに支払った金額の中から使う金額と超過料金の情報が両方書かれていてもよい。
【００６７】
図１０のの受取方法選択画面８０において、また図１１の受取・支払い方法選択画面８１において、店頭が選択されると、図１３の店舗選択画面８５が開き、写真屋８５ａ、コンビニ等８５ｂから最寄りの取扱店を選択する。
【００６８】
また、図１１の受取・支払い方法選択画面８１において、クレジットカードをクリックすると、図１２のクレジットカード情報入力画面９０を開き、クレジットカード情報９０ａを入力し、残高不足の場合は、クレジットカードでの支払いができる。
［写真館で予約する実施の形態］
図１４は写真館で予約する実施の形態のフローチャートである。この実施の形態では、例えば七・五・三の記念写真を撮影する場合、写真館に行き、受付を行なう。写真館では、写真撮影スタジオで複数の撮影ポーズの撮影を行ない、端末１０でプリントする画像選択を行ない、サイズなどプリント商品の商品選択を行なう。そして、プリント注文可能な画像情報を送信し、プリント料金を予め支払い予約する。
【００６９】
センター２のサーバ２０では、送信された画像情報を閲覧可能な状態で保管して管理する。注文者は、閲覧を許可する閲覧許可情報を送信し、保管されている画像情報を閲覧し、プリント料金を支払わないで、閲覧した画像情報中からプリントの注文を行なう。
【００７０】
ラボ３の端末３０では、注文情報に基づきプリントを作成する。この作成したプリント商品を取次店、あるいは注文者の自宅へ配送する。
【００７１】
このように、七・五・三の写真等、子供の写真を写真館で撮影してもらい、写真館で実際に発注する。その場合の予約者は子供の親であるが、例えば祖父母にもプリント商品を渡したいという要求があり、そこで、撮影画像をウェブ上で見られるようしている。そして、注文者である遠方の祖父母にウェブから撮影画像を見て、好きな撮影画像のプリント商品を選んで発注することができる。この時に、店頭で既に予約者である親が祖父母の分まである程度の料金を支払っており、その範囲内であれば、注文者の祖父母は無料で発注ができる。
［取次店で予約する実施の形態］
図１５は取次店で予約する実施の形態のフローチャートである。この実施の形態では、例えば結婚式、披露宴等を撮影した場合であり、予約者は撮影した写真プリントまたはデジタル画像を取次店に持参し、受付を行なう。取次店では、端末１０でアルバム予約を行ない、プリント注文可能な画像情報を送信し、プリント料金を予め支払い予約する。
【００７２】
センター２のサーバ２０では、送信された画像情報を閲覧可能な状態で保管して管理する。注文者は、閲覧を許可する閲覧許可情報を送信し、保管されている画像情報を閲覧し、プリント料金を支払わないで、閲覧した画像情報中からプリントの注文を行なう。
【００７３】
ラボ３の端末３０では、注文情報に基づきプリントを作成する。この作成したプリント商品を取次店、あるいは注文者の自宅へ配送する。
【００７４】
このように、結婚式、披露宴等で撮影された画像をウェブ上で見られるようにする。結婚式、披露宴等の出席者には予めＵＲＬなどのウェブ上にアクセスできる情報を渡しておき、後日ウェブを見てプリント写真や商品を選ぶことができる。既に、例えば新郎新婦からプリント料金が予め支払われており、結婚式、披露宴等の出席者は自分でプリント料金を払うことなく選んだ例えば写真入りの商品が受け取れる。例えば、引き出物として利用でき、実際には新郎新婦の写真と結婚式での注文者の写真が組み合わされて送られるようにすることができる。
【産業上の利用可能性】
【００７５】
この発明は、プリント注文可能な画像情報を送信し、プリント料金を予め支払う予約を行ない、後にプリント料金を支払わないでプリント注文が可能なプリント注文システムに適用できる。
【図面の簡単な説明】
【００７６】
【図１】プリント注文システムの概略構成図である。
【図２】予約入力のアルバム予約画面を示す図である。
【図３】予約終了のアルバム予約画面を示す図である。
【図４】アルバム閲覧用個人情報入力画面を示す図である。
【図５】プリント注文可能な画像情報を示す図である。
【図６】画像情報のプリント入りの見本商品を示す図である。
【図７】写真館または取次店からサービスを事前に購入するプリペイドを説明する図である。
【図８】オンラインラボのホームページ画面を示す図である。
【図９】プリント注文画面を示す図である。
【図１０】受取方法選択画面を示す図である。
【図１１】受取・支払い方法選択画面を示す図である。
【図１２】クレジットカード情報入力画面を示す図である。
【図１３】店頭選択画面を示す図である。
【図１４】写真館で予約する実施の形態のフロチャートである。
【図１５】取次店で予約する実施の形態のフロチャートである。
【符号の説明】
【００７７】
１  写真館または取次店
２  センター
３  ラボ
４  注文者
５  ネットワーク
１０  写真館または取次店１の端末
１０ａ  予約手段
１０ｂ  プリント注文手段
２０  センター２のサーバ
２０ａ  管理手段
３０  ラボ３の端末
４０  注文者４の端末
４０ａ  プリント注文手段
６０  予約入力のアルバム予約画面
６１  予約終了のアルバム予約画面
６２  プリント注文可能な画像情報
６３  プリント入りの見本商品
６４  アルバム閲覧用個人情報入力画面
【図１】
2006235680.tif 000003
【図２】
2006235680.tif 000004
【図３】
2006235680.tif 000005
【図４】
2006235680.tif 000006
【図５】
2006235680.tif 000007
【図６】
2006235680.tif 000008
【図７】
2006235680.tif 000009
【図８】
2006235680.tif 000010
【図９】
2006235680.tif 000011
【図１０】
2006235680.tif 000012
【図１１】
2006235680.tif 000013
【図１２】
2006235680.tif 000014
【図１３】
2006235680.tif 000015
【図１４】
2006235680.tif 000016
【図１５】
2006235680.tif 000017